(57)【要約】【課題】簡単な構成で水を使用するときは水道水が吐出され、水を使用していないときは水道水の流出が止まるようにするカップリング付き横水栓用節水装置を提供する。【解決手段】カップリング付き横水栓用節水装置１０は、本体部１１と節水部材１２と弾性体１３を有しており、水道蛇口からの水の流出が開閉ダンパー１２ａで止められるように形成されている。水道蛇口からの水の流出が開閉ダンパー１２ａで止められている状態で、押し棒１２ｂが押されることで開閉ダンパー１２ａと底部１１ａの開口の間から水が吐出するように形成されており、押し棒１２ｂが押されなくなると水の吐出が止まる。このようにカップリング付き横水栓用節水装置１０は、押し棒１２ｂを押し付けている時間のみの水の吐出であり、非常に高い節水効果の実現が可能となる。【選択図】図１
0003220535.tif 000002
【実用新案登録請求の範囲】
【請求項１】
水道蛇口の先端部の外周がネジで加工されており、ホース継手または泡沫金具が前記ネジで嵌め込まれ取り付けられるように形成されているカップリング付き横水栓に用いるカップリング付き横水栓用節水装置であって、
本体部と節水部材と弾性体を有し、
前記本体部は、開口を有する底部と、前記底部と一体的に形成されている中空を有する円筒部を有し、
前記節水部材は、前記本体部の中空に載置され前記底部の開口を開閉するように形成されている開閉ダンパーと、前記開閉ダンパーと一体的に形成され前記開口を介して前記本体部の外部に設けられるように形成されている押し棒を有し、
前記弾性体は、前記本体部が前記先端部に嵌め込まれ、前記開閉ダンパーが前記中空に載置されている状態で、前記開閉ダンパーを押圧するように形成されており、
前記開口は、前記開閉ダンパーが前記弾性体で前記押圧されることで閉じられるように形成されており、
前記開口が前記開閉ダンパーにより閉じられた状態で、前記押し棒を移動させることで前記開口と前記開閉ダンパーの間に空洞ができるように形成されていることを特徴とするカップリング付き横水栓用節水装置。
【請求項２】
前記本体部は、樹脂で形成されているネジ込みソケットであり、
前記節水部材は、金属で形成されており、
前記弾性体は、金属で形成されている圧縮バネであることを特徴とする請求項１に記載の節水装置。
【請求項３】
前記カップリング付き横水栓に前記本体部が嵌め込まれた状態で、前記水道蛇口からの水の流出が前記開閉ダンパーにより止められるように形成されており、
前記水の流出が前記開閉ダンパーにより止められている状態で、前記押し棒が押されることで前記開閉ダンパーと前記開口の間から前記水が吐出するように形成され、且つ、前記押し棒が押されなくなると前記水の吐出が止まるように形成されていることを特徴とする請求項１または請求項２に記載のカップリング付き横水栓用節水装置。
【請求項４】
前記カップリング付き横水栓と前記本体部及び前記本体部と前記節水部材は、パッキンを介して固着されるように形成されていることを特徴とする請求項１から請求項３のいずれかに記載のカップリング付き横水栓用節水装置。
【考案の詳細な説明】
【技術分野】
【０００１】
本考案は、カップリング付き横水栓用節水装置に関する。
【背景技術】
【０００２】
従来より、握りハンドルを回転操作して本体に内蔵のコマ付き弁体を給水圧によって開弁させるタイプの水栓が普及している。水の浪費を抑え資源を有効に活用できることは重要であり、例えば、握りハンドルをレバーに代えてワンタッチ操作で弁体を開閉できるようにした節水タイプのものが開示されている。
【先行技術文献】
【特許文献】
【０００３】
【特許文献１】特開２００９-７４３４２号公報
【考案の概要】
【考案が解決しようとする課題】
【０００４】
上記の握りハンドルをレバーに代えた水栓において節水の効果は、十分ではなく、例えば、開弁のレバー操作をしてから実際に水を使用するまでと水の使用を済ませてレバー操作によって閉弁するまでの間に水を消費しており節水効果は十分ではなく、また、構成も複雑なものであった。
【０００５】
本考案は、こうした点に鑑みてなされたものであり、簡単な構成で水を使用するときは水道水が吐出され、水を使用していないときは水道水の流出が止まるようにすることができるように水道蛇口の先端部の外周がネジで加工されているカップリング付き横水栓に用いるカップリング付き横水栓用節水装置を提供することである。
【課題を解決するための手段】
【０００６】
上記課題を解決するために、本考案に係るカップリング付き横水栓用節水装置は、水道蛇口の先端部の外周がネジで加工されており、ホース継手または泡沫金具が前記ネジで嵌め込まれ取り付けられるように形成されているカップリング付き横水栓に用いるカップリング付き横水栓用節水装置であって、本体部と節水部材と弾性体を有し、前記本体部は、開口を有する底部と、前記底部と一体的に形成されている中空を有する円筒部を有し、前記節水部材は、前記本体部の中空に載置され前記底部の開口を開閉するように形成されている開閉ダンパーと、前記開閉ダンパーと一体的に形成され前記開口を介して前記本体部の外部に設けられるように形成されている押し棒を有し、前記弾性体は、前記本体部が前記先端部に嵌め込まれ、前記開閉ダンパーが前記中空に載置されている状態で、前記開閉ダンパーを押圧するように形成されており、前記開口は、前記開閉ダンパーが前記弾性体で前記押圧されることで閉じられるように形成されており、前記開口が前記開閉ダンパーにより閉じられた状態で、前記押し棒を移動させることで前記開口と前記開閉ダンパーの間に空洞ができるように形成されていることを特徴とする。
【０００７】
本考案に係るカップリング付き横水栓用節水装置の態様について、前記本体部は、樹脂で形成されているネジ込みソケットであり、前記節水部材は、金属で形成されており、前記弾性体は、金属で形成されている圧縮バネであることが好ましい。
【０００８】
本考案に係るカップリング付き横水栓用節水装置の態様について、前記カップリング付き横水栓に前記本体部が嵌め込まれた状態で、前記水道蛇口からの水の流出が前記開閉ダンパーにより止められるように形成されており、前記水の流出が前記開閉ダンパーにより止められている状態で、前記押し棒が押されることで前記開閉ダンパーと前記開口の間から前記水が吐出するように形成され、且つ、前記押し棒が押されなくなると前記水の吐出が止まるように形成されていることが好ましい。
【０００９】
本考案に係るカップリング付き横水栓用節水装置の態様について、前記カップリング付き横水栓と前記本体部及び前記本体部と前記節水部材は、パッキンを介して固着されるように形成されていることが好ましい。
【考案の効果】
【００１０】
本考案によれば、簡単な構成で水を使用するときは水道水が吐出され、水を使用していないときは水道水の流出が止まるようにすることができる水道蛇口の先端部の外周がネジで加工されているカップリング付き横水栓に用いるカップリング付き横水栓用節水装置を提供することができる。
【図面の簡単な説明】
【００１１】
【図１】実施形態のカップリング付き横水栓用節水装置の一例を示す模式図である。
【考案を実施するための形態】
【００１２】
以下、本考案の節水用アタッチメント及びそれを用いた節水装置を、図１を用いて説明する。図１は、カップリング付き横水栓用節水装置１０が、カップリング付き横水栓Ｋに接続されている一例を示す模式図である。
【００１３】
カップリング付き横水栓用節水装置１０は、水道蛇口の先端部の外周がネジで加工されておりホース継手または泡沫金具がネジで嵌め込まれ取り付けられるように形成されているカップリング付き横水栓Ｋに用いる節水装置である。なお、カップリング付き横水栓用節水装置１０は、カップリング付き横水栓Ｋに用いることを主に開発されているが、これに限定されず、カップリング付き横水栓用節水装置１０は、ネジ以外の取り付け機能であっても適宜最適な構成にすることで水道蛇口の節水装置として用いることができる優れたものである。
【００１４】
カップリング付き横水栓用節水装置１０は、本体部１１と節水部材１２と弾性体１３を有している。この例においては、本体部１１は、樹脂で形成されているネジ込みソケットであり、節水部材１２は、金属で形成されており、また、弾性体１３は、金属で形成されている圧縮バネであるが、これに限定されず適宜最適な部材を用いることができる。
【００１５】
本体部１１は、開口を有する底部１１ａと、底部１１ａと一体的に形成されている中空を有する円筒部１１ｂから構成されている。円筒部１１ｂの中空は、水道蛇口の先端部を覆うように形成されており、この例においては、円筒部１１ｂが、カップリング付き横水栓Ｋにネジを用いて嵌め込まれ密閉され接続されるように形成されている。また、このネジを用いた嵌め込みにおいて、パッキンを用いて密閉度を高める構成が望ましい。
【００１６】
節水部材１２は、開閉ダンパー１２ａと押し棒１２ｂを有しており、開閉ダンパー１２ａは、本体部１１の中空に載置され底部１１ａの開口を開閉するように形成されている。この例において、開閉ダンパー１２ａは、円盤状に形成されており、この円盤状の直径が、底部１１ａの開口の直径より大きくなるように形成され、開閉ダンパー１２ａが開口を閉じることができるように形成されている。なお、開閉ダンパー１２ａは、円盤状であるがこれに限定されず、底部１１ａの開口を閉じることができるものであればよく適宜最適なものにすればよい。
【００１７】
押し棒１２ｂは、開閉ダンパー１２ａと一体的に形成されており、底部１１ａの開口を介して本体部１１の外部に設けられるように形成されている。すなわち、開閉ダンパー１２ａは、円筒部１１ｂの中空に配置され、開閉ダンパー１２ａと一体的に形成されている押し棒１２ｂは、底部１１ａの開口を介して本体部１１の外部、つまり下方に配置され、この押し棒１２ｂを動かすことにより、開閉ダンパー１２ａと底部１１ａの開口の間の空洞ができるような構成となっている。
【００１８】
弾性体１３は、円筒部１１ｂの中空に載置されるように形成されており、本体部１１が、カップリング付き横水栓Ｋに嵌め込まれ、開閉ダンパー１２ａが、円筒部１１ｂの中空に載置されている状態で、開閉ダンパー１２ａが押圧され、このように押圧されることで底部１１ａの開口が閉じられるように形成されている。なお、弾性体１３を開閉ダンパー１２ａと一体的に形成、例えば、接着してもよく、このようにすることで弾性体１３の飛び出しを防ぐことができる。
【００１９】
すなわち、底部１１ａの開口が開閉ダンパー１２ａにより閉じられた状態で、押し棒１２ｂを動かし移動させることで底部１１ａの開口と開閉ダンパー１２ａの間に空洞ができ、水道水が流出するように形成されており、押し棒１２ｂの移動を止めることで、弾性体１３の圧縮力で開口が閉じられ、水道水の流出を止めることができる。なお、開閉ダンパー１２ａと押し棒１２ｂの接続部分において、図１のＺ〜Ｚ矢視が示すように流水路が形成されるような構成にしてもよい。
【００２０】
カップリング付き横水栓用節水装置１０は、カップリング付き横水栓Ｋに本体部１１が嵌め込まれた状態で、水道蛇口からの水の流出が開閉ダンパー１２ａにより止められるように形成されている。
【００２１】
カップリング付き横水栓用節水装置１０は、カップリング付き横水栓Ｋからの水の流出が開閉ダンパー１２ａで止められている状態で、押し棒１２ｂが押されることで開閉ダンパー１２ａと底部１１ａの開口の間から水が吐出するように形成され、且つ、押し棒１２ｂが押されなくなると水の吐出が止まるように形成されている。
【００２２】
カップリング付き横水栓用節水装置１０は、カップリング付き横水栓Ｋと本体部１１の接触部分及び本体部１１と節水部材１２の接触部分が、パッキンＰを介して固着されるように形成されていることが望ましく、このようにすることで密閉度をより効果的にすることができる。
【００２３】
上記の構成を有するカップリング付き横水栓用節水装置１０は、ねじ込み式や昇降式のバルブに関係なく、常時弁としての機能を有する開閉ダンパー１２ａが、閉じた状態のままであり、例えば、ノズルの先端の押し棒１２ｂを手やコップなどで、押して傾ければ、水が吐出し、押し棒１２ｂから手やコップ等を離せば、完全に吐出は止まり、この場合、水は一滴も流れ落ちないという顕著な効果を有している。
【００２４】
このように押し棒１２ｂを押し付けている間のみの吐出の為、節水の効果は計り知れないものがある。例えば、学校や幼稚園などで、校庭で砂遊びなどをして教室に戻る際の手洗いや、校舎内での手洗い、歯磨き、トイレ、工場食品を扱う場所など、その都度水栓コックの開閉作業をせずに、水を必要とするとき（押し棒１２ｂを押し付けている間のみ）だけ使用し、使用の目的を達することができる。また、カップリング付き横水栓用節水装置１０は、通常の使用方法を望まれる場合には、カップリング付き横水栓Ｋから外すことにより通常どおり手動にて水道蛇口を開閉させることができる。このように本考案は、コネクターセットが不要な構造の水栓に簡易に接続させ節水の効果を発揮できる顕著な効果を有するものである。
【００２５】
従来、飲用、洗顔や歯磨き、手洗い時に蛇口のバルブを開き、水道水を吐出させるが、使用時間は僅かな時間であっても、その都度閉めない事が多い（特に洗顔）ので、殆んど出しっぱなしの状態で一連の動作を終了して初めて、蛇口を閉めるのが通常の使われ方であり、使用する量の何倍もの水道水が流されてしまう。このような問題を解決した本考案のカップリング付き横水栓用節水装置１０を用いることで、上記のとおり、蛇口の吐出先端に、内部の開閉ダンパー１２ａを動かす押し棒１２ｂを設け、手や歯ブラシまたコップなどで押し棒１２ｂに押し付け、傾けさせる事に依りソケット内の開閉ダンパー１２ａが傾き（流路が開く）水道水が吐出される。手やコップを押し棒１２ｂから離すと、ダンパー内の水圧と圧縮バネに依り開閉ダンパー１２ａが、閉じの状態となり、水道水の流出が止まる。本考案は、上記のとおり押し棒１２ｂを押し付けている時間のみの吐出であり、非常に高い節水効果が実現できるものであり、例えば、学校内で手を簡単に良く洗うことができるという効果もあり、インフルエンザの予防も期待できるものである。
【００２６】
以上、本考案の有する特徴及び優れた点を上記実施形態に記載したが、本考案は、本願の実用新案登録請求の範囲で使用されている言葉を広く一般的な意味に拡張して実施することができる。
【００２７】
また、本考案のカップリング付き横水栓用節水装置は、大きさや形状、素材の種類、厚さ、重さなどについては多様な実施形態が可能であり、それらについて本実施形態と異なる形態による実施は、本考案の技術的範囲に含まれる。
【符号の説明】
【００２８】
１０    カップリング付き横水栓用節水装置
１１      本体部
１１ａ    底部
１１ｂ    円筒部
１２      節水部材
１２ａ    開閉ダンパー
１２ｂ    押し棒
１３      弾性体
Ｋ        カップリング付き横水栓
Ｐ        パッキン
【図１】
0003220535.tif 000003